(57)【要約】【課題】従来、動画像の電送は撮影した動画像をコンピュータに取込み、圧縮した上で、通信用の別のプログラムを起動して目的の圧縮映像ファイルを選択し、相手方のサーバに伝送してきたが、取材現場で行うには複雑煩瑣で撮影担当者にこれを行わせることが困難であるという問題があった。【解決手段】撮影用機材等から動画像を取込み、取り込んだ動画像をサムネイルして一覧可能なファイルにする画像処理プログラムを内蔵する送信装置を圧縮動画像データ蓄積サーバに接続し、送信された圧縮画像データを蓄積するサーバとサーバからの圧縮動画像データを復元して映像表示するように構成した。【選択図】図１
2006340288.tif 000002
【特許請求の範囲】
【請求項１】
インターネット上にメインサーバと、これをバックアップする１台以上のサブサーバを異なる場所に設置し、送信側に設置した画像送信システムを介して映像を圧縮してサーバに蓄積すると共に、画像受信システムに送信することにより自動的にサブサーバに蓄積され、同時にメインサーバ、サブサーバ間で動画像送信システムより送られた圧縮動画像データ及びその属性について同期が行われるようにして、受信側でサーバに蓄積された任意の圧縮動画像データを選択復元しながら映像の表示を行えるようにしたことを特徴とする動画像伝送システム
【請求項２】
撮影用機材等から動画像を取込み、取り込んだ動画像をサムネイルして一覧可能なファイルにする画像処理プログラムを内蔵する送信装置を圧縮動画像データ蓄積サーバに接続した送信システムと、送信システムから送信された圧縮画像データを蓄積するサーバとサーバからの動画像圧縮データを復元して映像表示する受信装置とを接続した受信システムとから成る動画像伝送装置
【請求項３】
動画像圧縮の際に使用するコーデックをプラグイン方式として、インストールすることにより、システムの使用環境に応じて適切なコーデックを選択利用できるようにした請求項２記載の動画像伝送装置。
【請求項４】
送信装置を据置型又は携帯可能なラップトップタイプに構成し、中央部に内容のＩＮ／ＯＵＴ点を決めて圧縮蓄積する過程を映像表示するエンコードウインドウと圧縮映像ファイル化された伝送映像を選択確認し伝送するビュウウインドウを配置し、一側部に圧縮映像ファイル化操作ボタン、他側部に伝送操作ボタン、下部に送信状况の表示確認機構を配置するようにした請求項２又は請求項３記載の動画像伝送装置
【請求項５】
受信装置に、受信蓄積された圧縮映像ファイルをファイルメニューによって選択して映像の内容を表示するウインドウと、蓄積されたサムネイル映像とその属性を一覧的に表示するコマウインドウを設け、映像を確認しながら送出、ダウンロード、ファイル整理等の操作を行えるようにした請求項２又は請求項３又は請求項４記載の動画像伝送装置
【請求項６】
ダウンロードしたファイル、ノンリニア機器等で生成した動画像ファイルを外付けＨＤＤやＣＤ−ＲＯＭ等から呼出し表示する手段を受信装置に備えるようにした請求項２又は請求項３又は請求項４又は請求項５記載の動画像伝送装置
【請求項７】
エンコードタイプの異なる複数のコーデックを内蔵し、その中の１つを選択する手段と、選択されたコーデックにより動画像を圧縮映像ファイル化し書き込み蓄積する機能を有し、蓄積された圧縮映像ファイルベースから送信するファイルを抽出してサーバに送信する手段として機能することを特徴とする送信システムプログラム
【請求項８】
送信された圧縮映像ファイルを、保有するファイルベース中のデータと比較し、未蓄積データのみを選択して受信しファイルベース中に蓄積する機能と、蓄積された圧縮映像ファイルベースからファイルを抽出して展開再生する手段として機能することを特徴とする受信システムプログラム
【発明の詳細な説明】
【技術分野】
【０００１】
本発明は、インターネットにより動画像を１もしくは複数の受信システムに伝送する動画像伝送システムとその装置及びシステムプログラムに関するものであり、特に、放送用の映像を取材現場より各支局やブロードキャストセンターに伝送するシステムとして有効なものである。
【背景技術】
【０００２】
従来、放送現場においては、撮影した動画像を中継車を介しての伝送、テープ素材による配送によったり、或いは撮影した動画像をパーソナルコンピュータに取込み、圧縮した上で、通信用の別のプログラムを起動して目的の圧縮映像ファイルを選択し、相手方のサーバに伝送し、相手方は、圧縮映像ファイルがサーバに送られたことを送信者に確認した後、サーバとの通信用プログラムで目的の圧縮映像ファイルを取込み、更に再生専用のプログラムを起動して復元・再生を行う方法が採られている。
【０００３】
撮影用機材から動画像を取込んだ動画像圧縮データをＴＰＣ／ＩＰにより送信し、受信側でこれを復元する動画像伝送システムは、例えば、特許文献１、特許文献２に記載されるような技術が存在するが、何れも中継サーバとしては単独のサーバしか用いていない
【特許文献１】特開２００４−２６０６６８号公報
【特許文献２】特開平１０−２６２２４５号公報
【発明の開示】
【発明が解決しようとする課題】
【０００４】
しかしながら、中継車を介しての伝送、テープ素材による配送は論外としても、撮影した動画像をパーソナルコンピュータに取込み、圧縮した上で、通信用の別のプログラムを起動して目的の圧縮映像ファイルを選択し、相手方のサーバに伝送する作業は、取材現場で行うには複雑煩瑣で迅速かつ機微に応じて行動しなければならない撮影担当者にこれを行わせることは困難であり、取材効率の上でもマイナスとならざるを得ない。しかも、伝送装置自体による動画像の編集が行えない問題もあった。
【０００５】
また、特許文献１、特許文献２に記載されるものは、送信スティションのような場所において行われるもので、何れも複雑な送信操作が必要であり、取材現場で撮影を行いながら次々と送信を行う取材活動に適用することはできない。
【０００６】
更に、単独のサーバしか用いていないため、撮影した動画像の複数箇所での活用ができず、また、接続しようとしているサーバで回線障害等のトラブルが発生した場合には伝送、受信が不可能となるだけでなく、撮影した動画像の確保が困難となる問題がある。
【０００７】
特に、動画像をファイル化するエンコードプログラムに関しては、ＭＰＥＧ２、ＷＭＶ等のファイルモード毎にタイプの異なるコーデックを内蔵させた別のプログラムを用いなければならないため、その選択や起動操作に多くの時間や労力を要していた。
【課題を解決するための手段】
【０００８】
本発明は上記した問題に鑑みこれに対応しようとするものであり、インターネット上にメインサーバと、これをバックアップする１台以上のサブサーバを異なる場所に設置し、送信側に設置した動画像送信システムを介して映像を圧縮してサーバに蓄積すると共に、画像受信システムに送信することにより自動的にサブサーバに蓄積され、同時にメインサーバ、サブサーバ間で動画像送信システムより送られた動画像圧縮データ及びその属性について同期が行われるようにして、受信側でサーバに蓄積された任意の動画像圧縮データを選択復元しながら映像の表示を行えるようにした。
【０００９】
また、動画像伝送装置を、撮影用機材から動画像を取込み、取り込んだ動画像をサムネイルして一覧可能なファイルにする画像処理プログラムを内蔵する送信装置を圧縮画像データ蓄積サーバに接続した送信システムと、送信システムから送信された動画像圧縮データを蓄積するサーバとサーバからの動画像圧縮データを復元して映像表示する受信装置とを接続した受信システムとによって構成し、取材現場で撮影を行いながら次々と送信できるようにすると共に、送信システムと受信システムとに蓄積された動画像を一覧可能なファイルから選択編集して放送できるようにした。
【００１０】
動画像をファイル化するエンコードプログラムに関しては、ＭＰＥＧ２、ＷＭＶ等のファイルモード毎にタイプの異なるコーデックを内蔵させた別のプログラムを用いなければならないことに対応して、送信システムプログラムをエンコードタイプの異なる複数のコーデックを内蔵し、その中の１つを選択する手段と、選択されたコーデックにより動画像をファイル化し書き込み蓄積する機能を有し、蓄積された圧縮映像ファイルベースから送信するファイルを抽出してサーバに送信する手段として機能するプログラムとして構成した。
【００１１】
送信された圧縮映像ファイルを展開再生するデコードプログラムに関しては、各サーバの蓄積内容を統一する手段として、送信された圧縮映像ファイルを、保有するファイルベース中のデータと比較し、未蓄積データのみを選択して受信しファイルベース中に蓄積する機能と、蓄積された圧縮映像ファイルベースからファイルを抽出して展開再生する手段として機能する受信システムプログラムとして構成した。
【００１２】
更に、送信装置を携帯可能なラップトップタイプに構成し、中央部に内容のＩＮ／ＯＵＴ点を決めて映像確認しながら圧縮蓄積するエンコードウインドウと圧縮ファイル化された伝送映像を選択確認し伝送するビュウウインドウを配置し、一側部に圧縮映像ファイル化操作ボタン、他側部に伝送操作ボタン、下部に送信状况の表示確認機構を配置するようにして、撮影担当者が送信装置を携帯し取材現場で簡単なボタン操作で動画像を伝送できるようにした。
【００１３】
受信装置に、受信蓄積された圧縮映像ファイルをファイルメニューによって選択して映像の内容を表示するウインドウと、蓄積されたサムネイル映像とその属性を一覧的に表示するコマウインドウを設け、映像を確認しながら送出、ダウンロード、ファイル整理等の操作を行えるようにして、取材現場でも編集を行えるようにした。
【００１４】
更に、受信側で番組としてのバラエティや解説的要素を加味した編集を行えるように、ダウンロードしたファイル、ノンリニア機器等で生成したファイルを外付けＨＤＤやＣＤ−ＲＯＭ等から呼出し表示する手段を受信装置に備えるようにした。
【実施例】
【００１５】
以下、図面を参照して本発明の実施例を説明する。図１は本発明による動画像伝送システムの一実施形態を示すブロック図であり、全体として動画像送信システムＳ１０、動画像受信システムＲ１０、動画像サーバＶ１０、Ｖ２０、システム全体の管理を行うための管理端末Ｔ１０とから構成され、Ｎ１０のインターネットを介して接続されるものである。
【００１６】
動画像送信システムＳ１０は、従来は別のソフトウエアとして起動してきたエンコード機能と伝送機能の双方の機能を統合した専用プログラムＳ１１を内蔵させ、カメラ／プレイヤー等の取材機器Ｓ１６で撮影された動画像をＩＥＥＥ１３９インターフェースＳ１５で取込み、圧縮映像ファイルＳ１２に蓄積すると共に圧縮映像ファイルの属性データを記録する動画像属性ファイルＳ１３、蓄積された圧縮映像ファイルを識別するためのサムネイルを記録するをサムネイル画像ファイルＳ１４、接続するサーバのＩＰアドレスを管理するためのサーバ管理テーブルＳ１７が備えられている。
【００１７】
専用プログラムＳ１１は、エンコードタイプの異なる複数のコーデックを内蔵し、その中の１つを選択する手段と、選択されたコーデックにより動画像を圧縮映像ファイル化し書き込み蓄積する機能を有し、蓄積された圧縮映像ファイルベースから送信するファイルを抽出してサーバに送信する手段として機能するものである。
【００１８】
動画像受信システムＲ１０は、全体の処理を行う専用プログラムＲ１１、受信した動画像圧縮データを記録するための圧縮映像ファイルＲ１２、圧縮映像ファイルの属性データを記録する動画像属性ファイルＲ１３、受信した圧縮映像ファイルを簡単に識別するために作成されたサムネイルを記録するサムネイル画像ファイルＲ１４、圧縮映像ファイルを復元・再生した映像信号及び音声信号を出力Ｉ／ＦＲ１５、接続するサーバのＩＰアドレスを管理するためのサーバ管理テーブルＲ１７よりなる。
Ｒ１６はＲ１５の出力Ｉ／Ｆにより送出される映像を表示するビデオレコーダー等の表示機器である。
【００１９】
専用プログラムＲ１１は、送信された圧縮映像ファイルを、保有するファイルベース中のデータと比較し、未蓄積データのみを選択して受信しファイルベース中に蓄積する機能と、蓄積された圧縮映像ファイルベースからファイルを抽出して展開再生する手段として機能するものであり、各サーバの蓄積内容を統一してメインサーバ、サブサーバ間で動画像送信システムより送られた画像データ及びその属性について同期が行われる。
【００２０】
動画像蓄積サーバＶ１０、Ｖ２０は、動画像送信システムＳ１０により送信された動画像圧縮データを記録する圧縮映像ファイルＶ１２、Ｖ２２、圧縮映像ファイルの属性データを記録する動画像属性ファイルＶ１３、Ｖ２３、動画送信システム及び動画像受信システムよりの接続認証を行うための情報を記録する顧客管理情報ファイルＶ１４、Ｖ２４、システム上の画像蓄積サーバのＩＰアドレスを管理するためのサーバ管理テーブルＶ１５、Ｖ２５及び全体の処理を行うための専用プログラムＶ１１、Ｖ２１よりなる。管理端末Ｔ１０は、インターネットＮ１０を介し動画像サーバＶ１０、Ｖ２０に接続し、サーバ管理テーブル、顧客管理情報等のメンテナンスを行うものである。
【００２１】
Ｓ１１は、動画像送信システムＳ１０における圧縮・伝送ビューワ専用プログラムであり、左上部に圧縮形式を決めるビデオファイルモードセレクトＳ１、中央左部に収録内容のＩＮ／ＯＵＴ点を決めて映像確認しながら圧縮映像ファイル化するエンコードビューワＳ２、中央右部に圧縮映像ファイルをプレビューするファイルビューワＳ３、右上部に取込んだ圧縮映像ファイルの詳細を一覧表示するファイルプロパティＳ４、左下部に圧縮映像ファイルの伝送状况を表示するガイドステータスＳ５、下中央部に圧縮映像ファイルの伝送を実行するランチャーステータスＳ６、圧縮・伝送ビューワ専用プログラムＳ１１が起動してからの実行履歴を表示するログステータスＳ７を配置した構成で、圧縮・伝送のプロセスに必要なものをワンメニュー化したものである。必要に応じて据置型や携帯可能なラップトップタイプにこれを実装する。
【００２２】
取材者は圧縮・伝送ビューワ専用プログラムＳ１１用いて、ビデオファイルモードセレクトＳ１のビデオファイルセレクトボタンＳ１ａをワンタッチに選択することで、素材内容と伝送環境に応じたファイルモード（ＭＰＥＧ２はビットレート：２〜１２Ｍｂｐｓ、ＷＭＶはビットレート：７６８ｋ、１５００Ｋｂｐｓ、Ｈ．２６４は５００〜３０００ｋｂｐｓ）を選択し、エンコードビューワＳ２のテープコントロールボタンＳ２ｂで取込みたい素材テープをコントロールして、内容のＩＮ／ＯＵＴ点をエンコードビュースクリーンＳ２ａで映像を視認しながらエンコードキューボタンＳ２ｄを押すことで、圧縮映像ファイル化が開始する。
【００２３】
その間に圧縮映像ファイルの内容がわかるようにキャプション入力ボックスＳ２ｃに動画像のタイトル、コメント等を入力し、圧縮映像ファイル化が終了するとビデオファイルクリップＳ４ａにファイルサムネイルＳ４ｂ、ファイルプロパティステータスＳ４ｃのファイルモード、日付け等の情報と共に表示する。
【００２４】
圧縮映像ファイル化したビデオファイルクリップＳ４ａは、ファイルビューワＳ３のプレビュースクリーンＳ３ａで、プレビューコントロールボタンＳ２ｂでコントロールしながらエンコード品質チェック、音声チェックが行える。
【００２５】
エンコード品質チェック、音声チェック後、圧縮映像ファイル化したビデオファイルクリップＳ４ａのファイルプロパティステータスＳ４ｃにあるボタンを押してエントリーし、ランチャーボタンＳ６ａによって圧縮映像ファイルはトランスミットガイドインフォメーションビューに回線の接続状况、圧縮映像ファイルの伝送状况を表示しながら動画像蓄積サーバＶ１０に伝送され、伝送完了後、オペレーティングログビューＳ７ａに実行履歴が記録される。
【００２６】
Ｒ１１は、動画像受信システムＲ１０における受信・再生ビューワ専用プログラムであり、中央左部に圧縮映像ファイルの再生や再生経過の情報を表示するファイルビューワＲ１、下部に受信した圧縮映像ファイルの詳細を一覧表示するサムネイルビューワＲ２、右上部に圧縮映像ファイルの受信状况を表示するガイドステータスＲ３、右中央部に受信・再生ビューワ専用プログラムが起動してからの実行履歴を表示するログステータスＲ４、受信・表示して不要となった圧縮映像ファイルのビデオファイルクリップの削除、外部ファイルの呼出、削除したビデオファイルクリップの再表示をするファイルメニューＲ５、圧縮映像ファイルの再生コントロール等をするプレイメニューＲ６の構成で、受信・再生のプロセスに必要なものをワンメニュー化したものである。据置型タイプにこれを実装する。
【００２７】
受信・再生ビューワ専用プログラムＲ１１において、動画像蓄積サーバＶ１０に新たな圧縮映像ファイルが伝送されたのを検知した場合、自動的に受信が開始され、レシーブガイドインフォメーションビューＲ３ａに受信の接続状况を示すランプが点灯し、インジケータに受信データ総量と共に圧縮映像ファイルの受信状况がリアルタイムに表示される。
【００２８】
受信が完了すると接続状况を示すランプが消灯し、ビデオファイルクリップＲ２ａにサムネイルＲ２ｂ、キャプション・デュレーション情報Ｒ２ｃ、ファイルモード情報Ｒ２ｄが付帯してサムネイルビューワＲ２に表示され、受信完了した結果がオペレーティングログビューＲ４ａに表示される。
【００２９】
編集者が再生したい圧縮映像ファイルをビデオファイルクリップＲ２ａから選択しファイル再生コントロールボタンＲ６ｂの再生ボタンを押すと、プレイビュースクリーンＲ１ａに表示され、同時にプレイステータスＲ１ｂに再生経過の情報が表示され、オーディオレベルボリュームインジケータＲ６ａに音声レベルが表示される。
【００３０】
また、編集者が任意の開始点から圧縮映像ファイルを再生させたい場合、ファイル再生コントロールボタンＲ６ｂの一時停止ボタンで再生を一旦停止し、プレイステータスＲ１ｂのスライダーを移動させて開始点を決め、Ｒ６ｂの再生ボタンを押せば、その開始点からの再生を行うことができる。
【００３１】
再生時の音声レベルの調整はオーディオレベルボリュームインジケータＲ６ａのスライダーででき、ノンリニア編集機等で生成した圧縮映像ファイルを受信・再生ビューワ専用プログラムＲ１１上で再生したい場合は、外部ファイルエントリーボタンＲ５ｃで再生したい圧縮映像ファイルを呼び出すと、サムネイルビューワＲ２のビデオファイルクリップＲ２ａにエントリー表示される。
【００３２】
その他に圧縮映像ファイルを受信・再生していくにつれ、ビデオファイルクリップＲ２ａの順番の並び替え、不要となる圧縮映像ファイルの削除、一度削除したビデオファイルクリップの再表示等といった再生送出する際の整理編成もワンメニュー化することで容易に行えるものである。
【００３３】
次に上記の如くに構成された動画像伝送システムの動作について説明する。
動画像送信システム起動時のフローチャートは図２のようになる。先ず、動画像送信システムＳ１０を起動する（Ｐ２００）と、専用プログラムＳ１１が起動して、ログイン画面が表示（Ｐ２１０）され、予め設定していたログインコードとパスワードを入力してログイン操作を行う（Ｐ２２０）。
【００３４】
サーバは、顧客管理情報ファイルＶ１４のデータを基に認証確認を行い（Ｐ２３０、２４０）、正しければ正常データを設定（Ｐ２４２）し、正しくなければエラーデータを設定（Ｐ２４１）して動画像送信システムに結果を送信する（Ｐ２５０）する。
【００３５】
動画像送信システムはサーバからの結果を受信（Ｐ２６０）し、結果を判定（Ｐ２７０）し、エラーデータの場合はエラー表示を行い、サーバとの通信を切断（Ｐ２８１）する。正常データを受信した場合は接続を継続し、動画像取込み用画面を表示する。Ｐ２２０でログインデータをメインサーバに送信するとき、一定の時間内に応答がなかった場合、専用プログラムＳ１０は、サーバ管理テーブルＳ１７を参照して、サブサーバに同様の処理で接続を試みる。
【００３６】
上記の処理時には、サーバＶ１０は動画像送信システムよりログインされた情報を顧客管理情報ファイルＶ１４に記録し、ログアウト又は通信が切断されるまで接続を維持できるようにする。
【００３７】
動画像受信システム起動時のフローチャートは図３のようになる。動画像受信システムＲ１０を起動する（Ｐ４００）と、専用プログラムＲ１１が起動して、ログイン画面が表示（Ｐ４１０）され、予め設定していたログインコードとパスワードを入力してログイン操作を行う（Ｐ４２０）。
【００３８】
サーバは、顧客管理情報ファイルＶ１４のデータを基に認証確認を行い（Ｐ４３０、４４０）、正しければ正常データを設定（Ｐ４４２）し、正しくなければエラーデータを設定（Ｐ４４１）して動画像受信システムに結果を送信する（Ｐ４５０）する。
【００３９】
動画像受信システムはサーバからの結果を受信（Ｐ４５０）し、結果を判定（Ｐ４６０）し、エラーデータの場合はエラー表示を行い、サーバとの通信を切断（Ｐ４６１）する。正常データを受信した場合は接続を継続し、動画像取込み用画面を表示する。Ｐ２２０でログインデータをメインサーバに送信するとき、一定の時間内に応答がなかった場合、受信・再生ビューワ専用プログラムＲ１１は、サーバ管理テーブルＲ１７を参照して、サブサーバに同様の処理で接続を試みる。
【００４０】
上記の処理時には、サーバＶ１０は動画像受信システムよりログインされた情報を顧客管理情報ファイルＶ１４に記録し、ログアウト又は通信が切断されるまで接続を維持できるようにする。
【００４１】
動画像送信システムにおける動画像取込み時のフローチャートは図４のようになる。カメラ／プレイヤーＳ１６をＩＥＥＥ１３９インターフェースＳ１５に接続後、エンコードビューワ上のボタンで即時エンコードしたり、カメラ／プレイヤーＳ１６に対して巻き戻し、早送り、一時停止、タイムコードサーチなど制御を行ってエンコード録画の開始点及び終了点の指定をし、エンコードを実行したりもできる。
【００４２】
動画像を取込み、圧縮するときの圧縮形式とビットレートを選択し、取込み動画像のタイトル、コメントを入力後、エンコード操作（Ｐ１００）を実行すると、圧縮・伝送ビューワ専用プログラムＳ１１がエンコード開始点が設定されているかどうかを判定（Ｐ１１０）し、開始点があれば現在のタイムコードの値を確認して巻き戻し又は早送り動作のコマンドをカメラ／プレイヤーＳ１６に送出してエンコード開始点の前より再生するように処理（Ｐ１２０）を行う。
【００４３】
前記のように設定された圧縮形式とビットレートで圧縮を行い、圧縮映像ファイルＳ１２に記録していくと、圧縮映像ファイルに対するファイル名は自動生成されて間違えて同一のファイル名を付加するトラブルが避けられるようになっている。
【００４４】
更に、エンコード終了点が設定されているかどうかを判定（Ｐ１４０）し、設定されていればタイムコードの値がエンコード終了点を過ぎたところでレコーダーにストップコマンドを送出（Ｐ１５０）し、エンコードを終了させる。エンコードの終了は、エンコードビューワ上の停止ボタンを押すことによっても行うことができる。
【００４５】
エンコードの終了処理時に、取り込んだ動画像の先頭付近の静止画像を取込み、サムネイルを作成してサムネイル画像ファイルＳ１４に記録すると共に、ファイルプロパティのビデオファイルクリップに追加表示（Ｐ１６０）を行う。
【００４６】
動画像圧縮の際に使用するコーデックは、圧縮をソフトウエアによって行うため、コーデックをプラグインとしてインストールする方法を採っているので、これにより、ＭＰＥＧ２、ウインドウズ・メディア・プレイヤー、Ｈ．２６４及びこれから開発されるコーデックを自由に選択登録することが可能となり、本システムを使用する環境に応じて適切なコーデックを利用できる。
【００４７】
動画像送信システムによる動画像送信時のフローチャートは、図５のようになる。ファイルプロパティのビデオファイルクリップリストから伝送対象の画像を選択（Ｐ３００）し、伝送操作（Ｐ３１０）を行うと、前記により接続したサーバの圧縮映像ファイルＳ１２及び動画像属性データファイルＳ１３の中から該当するものが選択されて伝送される。
【００４８】
動画像圧縮データ及び動画像属性データを受信（Ｐ３３０）した動画像蓄積サーバＶ１０は、動画像送信システムより受信したデータを判定（Ｐ３４０）し、受信が正常ならば正常データ（Ｐ３４２）を、異常のときはエラーデータ（Ｐ３４１）を設定し、結果を動画像送信システムに送信（Ｐ３５０）する。
【００４９】
サーバよりの結果を受信（Ｐ３６０）した動画像送信システムは、内容を判定（Ｐ３７０）してエラーのときはエラーメッセージを表示すると共に、リトライカウントを更新（Ｐ３７３）する。リトライカウントが設定回数以上でないときは再送処理を行い、設定回数以上になったときはエラーメッセージを表示して送信を中断（Ｐ３７６）する。
【００５０】
結果が正常であれば、送信ポインタを更新（Ｐ３７１）する。全ての指定ファイルの送信が完了したかどうかを判定（Ｐ３８０）し、送信が完了していたら完了のメッセージを表示（Ｐ３８１）し、送信が完了していなければ未完了の動画像とその属性データをサーバに送信（Ｐ３２０）して処理を繰り返す。
【００５１】
送信時において一定時間内にサーバよりの応答がなかった場合には、圧縮・伝送ビューワ専用プログラムＳ１１はサーバ管理テーブルＳ１７を参照してサブサーバへの送信を試み、接続できれば送信未完了の動画像圧縮データとその属性データを接続できたサブサーバに送信（Ｐ３２０）して処理する。
【００５２】
動画像送信システムより動画像を送信された動画像蓄積サーバＶ１０は、動画像圧縮データを圧縮映像ファイルＶ１２に記録すると共に、同時に送られてきた動画像属性データを動画像属性データファイルＶ１３に記録し、顧客管理情報ファイルＶ１４に対して受信した内容について当該の顧客データについて受信したデータファイル数、ファイル名等の更新を行う。
【００５３】
図６は、受信済み動画像圧縮データを、動画像蓄積サーバからログインされている動画像受信システムに送信する時のフローチャートであり、動画像蓄積サーバＶ１０は顧客管理情報ファイルＶ１４に記録されているログイン中の動画像受信システムを検索（Ｐ５００、Ｐ５１０）し、ログインされている動画像受信システムがあれば、そのシステムに対しての未送信動画像圧縮データの存否を判定（Ｐ５２０）し、未送信動画像圧縮データが無ければ、他の顧客についてログイン中の動画像受信システムを検索して未送信動画像データの存否を確認する処理を繰り返し行う。
【００５４】
ログインされている動画像受信システムに未送信動画像データが有るときは、そのシステムに動画像受信要求データを送信し、これを受信した受信システムで受信準備完了データを動画像サーバに送信し、これを受信した動画像蓄積サーバは未送信動画像データとその属性データをその受信システムに送信する。
【００５５】
未送信動画像圧縮データとその属性データを受信した動画像受信システムでは、受信した動画像圧縮ファイルの先頭付近の静止画像よりサムネイルを作成して動画像受信システム画面上の再生リストに追加表示（Ｐ５９０）する。
【００５６】
動画像蓄積サーバでは、１ファイル毎に送信の完了を確認（Ｐ６００）して未送信動画像圧縮データがあれば上記の処理を繰り返し、全ての未送信データの送信が完了すると動画像受信システムに送信完了データを送信する。これを受信した受信システムで受信終了のメッセージを動画像受信システム画面上に表示して受信処理が終了する。
【００５７】
動画像受信システムで受信した圧縮映像ファイルを再生する場合、受信・再生ビューワ専用プログラム上の表示されているサムネイルビューワより再生したいビデオファイルクリップを選択して再生ボタンを押せば、圧縮映像ファイルを復元してビデオ出力インターフェースを介して外部の録画装置に映像信号及び音声信号を出力する。
【００５８】
図７は、動画像蓄積サーバ間での動画像送信システムより受信した動画像圧縮データの同期を取るためのフローチャートであり、動画像メインサーバＶ１０がサブサーバＶ２０に対して受信履歴データを送信すると、サブサーバＶ２０は手もとのデータと照合し未受信データがあれば、未受信データファイル名のリストを作成してメインサーバに受信要求データとして送信（Ｐ８３０）する。
【００５９】
メインサーバでは、データ中にリストされている未受信データファイル名に対応する動画像データを、要求してきたサブサーバに送信（Ｐ８４０）し、サブサーバでは受信した動画像圧縮データを圧縮映像ファイルＶ２２と属性データファイルＶ２３に記録すると共に、受信したファイルの内容について顧客管理情報ファイルＶ２４のデータ更新を行う。
【００６０】
メインサーバからの受信履歴データの送信に対してサブサーバに未受信データがなければ、サブサーバは自分の受信履歴データをメインサーバに送信（Ｐ８４０）し、メインサーバでも自分の受信履歴データと照合して未受信データがあれば、未受信ファイル名リストを作成して未受信データ受信要求データとしてサブサーバに送信（Ｐ８８２）する。
【００６１】
サブサーバでは、リスト化されている未受信ファイル名に対応する動画像圧縮データをメインサーバに送信（Ｐ８９０）し、メインサーバでは受信した動画像圧縮データを圧縮映像ファイルＶ１２と属性データファイルＶ１３に記録すると共に、受信したファイルの内容について顧客管理情報ファイルＶ１４のデータ更新を行うことにより、相互に受信した動画像圧縮データの同期が取られる。
【００６２】
以上のように本発明によれば、カメラやレコーダーにより再生される動画像を、特別な知識を持たなくても圧縮・伝送できると共に、動画蓄積サーバを介して送信システムと受信システムを接続することにより、インターネットに接続できるＬＡＮ設備のある場所であれば容易に動画像の送受信を行うことができるものである。
【００６３】
また、インターネット上に独立した複数台の動画像サーバを設置することにより、インターネット上の通信障害に対して安全性を保つことができと共に、画像データを２重に持つことができるので、動画サーバのハードウエアトラブルに対しても対処することができる。
【００６４】
本発明は以上のように構成したので、簡単な操作で圧縮・送信・受信・再生ができ、更に、動画像圧縮データに対しての安全性が強化されるため、ＰＣの操作に不慣れなユーザー及び遠隔地よりの動画像圧縮データを受け取る必要のあるユーザーに対して、操作性に優れ、安全な動画像伝送システムを提供給できたものである。
【図面の簡単な説明】
【００６５】
【図１】本発明による動画像伝送システムの実施例を示すもので、インターネット上における送信システム、受信システム、サーバ、管理端末の関係を示すブロック図である。
【図２】同じく、動画像送信システムの起動時における作動手順を示すフローチャート図である。
【図３】同じく、動画像受信システムの起動時における作動手順を示すフローチャート図である。
【図４】同じく、動画像受信システムの動画像取込み時における作動手順を示すフローチャート図である。
【図５】同じく、動画像送信システムでの動画像送信時における作動手順を示すフローチャート図である。
【図６】同じく、動画像サーバにおいて受信済み動画像データをログインされている受信システムに送信する際におけるにおける作動手順を示すフローチャート図である。
【図７】同じく、動画像サーバ間において動画像送信システムより受信した動画像データの同期を取るための作動手順を示すフローチャート図である。
【図８】同じく、動画像送信システムにおけるウインドウ配置と操作ボタンの設定の一例を示す圧縮・伝送ビューワ専用プログラム操作画面の正面図である。
【図９】同じく、動画像受信システムにおけるウインドウ配置と操作ボタンの設定の一例を示す受信・再生ビューワ専用プログラムの操作面図である。
【符号の説明】
【００６６】
Ｓ１０    動画像送信システム
Ｓ１１    専用プログラム
Ｓ１２    圧縮動画像ファイル
Ｓ１３    動画像属性データファイル
Ｓ１４    サムネイル画像ファイル
Ｓ１５    ＩＥＥＥ１３９４インターフェース
Ｓ１６    カメラ／プレーヤー等
Ｓ１７    サーバ管理テーブル
Ｒ１０    動画像受信システム
Ｒ１１    専用プログラム
Ｒ１２    圧縮動画像ファイル
Ｒ１３    動画像属性データファイル
Ｒ１４    サムネイル画像ファイル
Ｒ１５    映像出力インターフェース
Ｒ１６    ビデオレコーダー等
Ｒ１７    サーバ管理テーブル
Ｖ１０，Ｖ２０  動画像サーバ
Ｖ１１，Ｖ２１  専用プログラム
Ｖ１２，Ｖ２２  圧縮動画像ファイル
Ｖ１３，Ｖ２３  動画像属性データファイル
Ｖ１４，Ｖ２４  顧客管理情報ファイル
Ｖ１５，Ｖ２５  管理端末
Ｎ１０    インターネット
Ｔ１０    管理端末
【図１】
2006340288.tif 000003
【図２】
2006340288.tif 000004
【図３】
2006340288.tif 000005
【図４】
2006340288.tif 000006
【図５】
2006340288.tif 000007
【図６】
2006340288.tif 000008
【図７】
2006340288.tif 000009
【図８】
2006340288.tif 000010
【図９】
2006340288.tif 000011